【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
トナー像を担持して移動する像担持体と、前記像担持体に接触して移動するベルト部材と、前記像担持体上に形成されたトナー像を前記ベルト部材に向かって転写するための転写部材と、前記転写部材に電圧を印加する電圧印加手段と、を有する画像形成装置において、
前記像担持体と前記ベルト部材とが接触して停止している状態からそれぞれの移動が開始する際には、前記電圧印加手段が前記転写部材への電圧印加を開始してから、前記像担持体と前記ベルト部材との移動が開始することを特徴とする画像形成装置。
【請求項２】
トナー像を担持して移動する像担持体と、前記像担持体に接触して移動するベルト部材と、前記像担持体上に形成されたトナー像を前記ベルト部材に向かって転写するための転写部材と、前記転写部材に電圧を印加する電圧印加手段と、を有する画像形成装置において、
前記像担持体と前記ベルト部材とが接触して移動している状態からそれぞれの移動が停止する際には、前記像担持体と前記ベルト部材との移動が停止してから前記電圧印加手段が前記転写部材への電圧印加を停止することを特徴とする画像形成装置。
【請求項３】
前記ベルト部材は、前記像担持体からトナー像を転写される中間転写ベルトであることを特徴とする請求項１又は２記載の画像形成装置。
【請求項４】
前記像担持体及び前記ベルト部材は、それぞれの独立した駆動手段から駆動力が付与される、若しくは、共通の駆動手段から駆動力が付与されることを特徴とする請求項１乃至３のいずれか１項に記載の画像形成装置。
【手続補正２】
【補正対象書類名】明細書
【補正対象項目名】０００９
【補正方法】変更
【補正の内容】
【０００９】
本発明の画像形成装置は、トナー像を担持して移動する像担持体と、前記像担持体に接触して移動するベルト部材と、前記像担持体上に形成されたトナー像を前記ベルト部材に向かって転写するための転写部材と、前記転写部材に電圧を印加する電圧印加手段とを有するものである。そして、前記像担持体と前記ベルト部材とが接触して停止している状態からそれぞれの移動が開始する際には、前記電圧印加手段が前記転写部材への電圧印加を開始してから、前記像担持体と前記ベルト部材との移動が開始する。
【手続補正３】
【補正対象書類名】明細書
【補正対象項目名】００１０
【補正方法】変更
【補正の内容】
【００１０】
別発明の画像形成装置は、トナー像を担持して移動する像担持体と、前記像担持体に接触して移動するベルト部材と、前記像担持体上に形成されたトナー像を前記ベルト部材に向かって転写するための転写部材と、前記転写部材に電圧を印加する電圧印加手段とを有するものである。そして、前記像担持体と前記ベルト部材とが接触して移動している状態からそれぞれの移動が停止する際には、前記像担持体と前記ベルト部材との移動が停止してから前記電圧印加手段が前記転写部材への電圧印加を停止する。
【手続補正４】
【補正対象書類名】明細書
【補正対象項目名】００１１
【補正方法】変更
【補正の内容】
【００１１】
本発明の画像形成装置では、像担持体とベルト部材の速度が変化する際に、像担持体とベルト部材との間に電圧を印加することにより、像担持体とベルト部材との間に電気的な引力を発生させる。これによって、像担持体とベルト部材とが接触する領域におけるスリップを軽減し、像担持体の摺擦傷の発生を軽減できる。
【手続補正５】
【補正対象書類名】明細書
【補正対象項目名】００１２
【補正方法】変更
【補正の内容】
【００１２】
別発明の画像形成装置では、像担持体とベルト部材が停止した後まで、像担持体とベルト部材との間に電圧を印加することにより、第２実施形態で説明するように、像担持体とベルト部材との間に電気的な引力を発生させる。これによって、像担持体とベルト部材が接触する領域におけるスリップを軽減して、像担持体又はベルト部材の摺擦傷の発生を軽減できる。
【手続補正６】
【補正対象書類名】明細書
【補正対象項目名】００１３
【補正方法】変更
【補正の内容】
【００１３】
以下、本発明の実施形態の画像形成装置について、図面を参照して詳細に説明する。本発明の画像形成装置は、以下に説明する実施形態の構成には限定されない。電圧を印加した状態で中間転写ベルト等の移動を開始させる限りにおいて、各実施形態の構成の一部または全部を、その代替的な構成で置き換えた別の実施形態でも実現可能である。
【手続補正７】
【補正対象書類名】明細書
【補正対象項目名】００１８
【補正方法】変更
【補正の内容】
【００１８】
図１に示すように、中間転写ベルト（ベルト部材）５１に沿ってイエロー、マゼンタ、シアン、ブラックの４つの画像形成部Ｓａ、Ｓｂ、Ｓｃ、Ｓｄが配置される。画像形成部Ｓａ、Ｓｂ、Ｓｃ、Ｓｄは、プロセスユニットとして個別に着脱／交換が可能で、それぞれイエロー、マゼンタ、シアン、ブラックのトナー像を形成する。画像形成部Ｓａ、Ｓｂ、Ｓｃ、Ｓｄは、現像装置４ａ、４ｂ、４ｃ、４ｄで用いるトナーの色がイエロー、マゼンタ、シアン、ブラックと異なる以外、共通に構成される。従って、図２では、画像形成部Ｓａ、Ｓｂ、Ｓｃ、Ｓｄの区別を示す添え字ａ、ｂ、ｃ、ｄを除いて図示し、以下では、図２を参照して画像形成部Ｓａ、Ｓｂ、Ｓｃ、Ｓｄの構成／動作を総括的に説明する。
【手続補正８】
【補正対象書類名】明細書
【補正対象項目名】００４７
【補正方法】変更
【補正の内容】
【００４７】
画像形成装置１００は、感光ドラム１と中間転写ベルト５１との回転起動時／回転停止時に、一次転写ローラ５３（転写部材）に一次転写電圧Ｖｔ１を印加しておくことにより、前記の摺れ合いを回避する。制御部９０は、図３に示すように、感光ドラム１と中間転写ベルト５１とを起動する回転立ち上げ期間と、減速して停止させる減速期間とにおいて、一次転写バイアス電源５４から一次転写ローラ５３に一次転写電圧Ｖｔ１を出力させる。これにより、感光ドラム１と中間転写ベルト５１との摩擦係合力を高める。
【手続補正９】
【補正対象書類名】明細書
【補正対象項目名】００５５
【補正方法】変更
【補正の内容】
【００５５】
図５に示すように、第２実施形態では、感光ドラム１（像担持体）および中間転写ベルト（ベルト部材）５１が回転を開始するよりも前に、一次転写ローラ（転写部材）５３に一次転写電圧Ｖｔ１を印加する。そして、感光ドラム１および中間転写ベルト５１が回転を停止した後に一次転写ローラ５３への一次転写電圧Ｖｔ１の印加をＯＦＦしている。このときの一次転写電圧Ｖｔ１は、画像を一次転写するときの電圧である５００Ｖを継続的に印加した。
【手続補正１０】
【補正対象書類名】明細書
【補正対象項目名】０１０５
【補正方法】変更
【補正の内容】
【０１０５】
１  像担持体（感光ドラム）
２  帯電ローラ
３  露光装置
４  現像装置
５  中間転写ユニット
５１  ベルト部材、像担持体（中間転写ベルト）
５３  転写部材（一次転写ローラ）
５４  電圧印加手段（一次転写バイアス電源）
５６  転写部材（二次転写内ローラ）
９０、１９０  制御部
９１  感光ドラムモータ
９２  感光ドラムモータ制御部
９３  駆動ローラモータ
９４  駆動ローラモータ制御部
９５  吸着バイアス電源
１００、２００  画像形成装置
１５１  ベルト部材（記録材搬送ベルト）
１５３  転写部材（転写ローラ）
１５５  従動ローラ
１５４  電圧印加手段（転写バイアス電源）